(57)【要約】【課題】  ごみの量を増やさず、資源の無駄使いとならず、しかも経費が嵩まず、経済性に優れたトレーを提供する。【解決手段】  トレー本体１と、このトレー本体１の表面１ａに敷かれ、店の広告や案内、飲食物のメニューなどの表示が印刷された紙製シート２と、さらにこの紙製シート２に覆い被さるようにしてトレー本体１に取り付けられた透明の合成樹脂製シート３とからなるものとしている。そして、前記トレー本体１を、表面１ａの周囲に立上り縁１ｂを有した浅底の容器状に形成し、略長方形状としている。【選択図】    図３
2005224485.tif 000002
【特許請求の範囲】
【請求項１】
トレー本体（１）と、このトレー本体（１）の表面（１ａ）に敷かれ、店の広告や案内、飲食物のメニューなどの表示が印刷された紙製シート（２）と、さらにこの紙製シート（２）に覆い被さるようにしてトレー本体（１）に取り付けられた透明の合成樹脂製シート（３）とからなることを特徴とするトレー。
【請求項２】
トレー本体（１）と、このトレー本体（１）の表面（１ａ）に敷かれ、店の広告や案内、飲食物のメニューなどの表示が印刷された紙製シート（２）と、さらにこの紙製シート（２）に覆い被さるようにしてトレー本体（１）に着脱自在として取り付けられた透明の合成樹脂製シート（３）とからなることを特徴とするトレー。
【請求項３】
前記トレー本体（１）を、表面（１ａ）の周囲に立上り縁（１ｂ）を有した浅底の容器状に形成し、略長方形状としていることを特徴とする請求項１または２記載のトレー。
【請求項４】
前記トレー本体（１）の周囲の立上り縁（１ｂ）の一辺部の略全域に、合成樹脂製シート（３）の端縁部と共に挟み込めるようにした、縦断面形状が略Ｕ字形状の細長の弾性挟持体とした取付け具（４）を用いて、トレー本体（１）に合成樹脂製シート（３）を着脱自在として取り付けたことを特徴とする請求項３記載のトレー。
【請求項５】
前記トレー本体（１）の周囲の立上り縁（１ｂ）の一辺部に嵌合溝（５）を形成し、この嵌合溝（５）に嵌脱自在としたリブ（６）を合成樹脂製シート（３）の一端縁部に形成することにより、トレー本体（１）に合成樹脂製シート（３）を着脱自在として取り付けたことを特徴とする請求項３記載のトレー。
【請求項６】
前記合成樹脂製シート（３）の少なくとも一端部に、この合成樹脂製シート（３）をトレー本体（１）から捲り上げるときに、指先などで摘めるようにした摘部（３ａ）を突設したことを特徴とする請求項１〜５の何れかに記載のトレー。
【発明の詳細な説明】
【技術分野】
【０００１】
この発明は、ファーストフード店などにおいて、飲食物を載せて持ち運ぶのに使用されるトレーに関するものである。
【背景技術】
【０００２】
この種のトレーは、店の広告や案内、飲食物のメニューなどを表示した紙製シートを敷いて、その上に飲食物を載せるようにしていた。そして、飲食後に返却されたトレーは、洗浄して再使用するようにしていたが、紙製シートは、汚れる、汚れないにかかわらず、一回ごとに廃棄するようにしていた。そのため、ごみの量が増えると共に、資源の無駄使いであるという課題を有していた。
【０００３】
そのため、従来、図７、８に示したような、合成樹脂製シートで形成され、その表面に店の広告や案内などの表示を印刷し、裏面に弱粘着層１２を形成すると共に、この弱粘着層１２に離型紙１３を剥離可能に貼着固定したトレーマット１１が存在した（特許文献１）。
【０００４】
そして、このトレーマット１１は、離型紙１３を剥離して、弱粘着層１２面をトレー１４上面に貼着するようにしている。このようにしたトレーマット１１は、弱粘着層１２により貼着されているため、トレー１４から簡単に剥離できるが、横のずれに強いという特性がある。したがって、客の飲食後に汚れたトレー１４を水または湯につけてスポンジなどでこすって洗浄しても、トレーマット１１がトレー１４から剥離することがなく、何回でも繰り返してトレーマット１１を貼着したままのトレー１４を使用することができる。そして、不要になったトレーマット１１は、端縁部から簡単に剥がして取り去ることができるものとしている。
【特許文献１】特開平１０−１５５６２８号公報（第２頁、図１、２）
【発明の開示】
【発明が解決しようとする課題】
【０００５】
しかしながら、上記従来のトレーマットを貼着固定したトレーでは、店の広告や案内、飲食物のメニューなどを変更する場合には、これらの表示がトレーマットの表面に印刷されているため、トレーマットごと取り替えなければならない。
【０００６】
ところが、新商品開発の激しいファーストフード業界等においては、飲食物のメニューが頻繁に変更されることがあり、その度にトレーマットごと取り替えていたのでは、経費が嵩み、経済性に劣るという課題を有していた。
【０００７】
そこで、この発明は、上記従来のトレーが有する課題を解決するものであり、ごみの量を増やさず、資源の無駄使いとならず、しかも経費が嵩まず、経済性に優れたトレーを提供することを目的としてなされたものである。
【課題を解決するための手段】
【０００８】
そのため、この発明のトレーは、トレー本体１と、このトレー本体１の表面１ａに敷かれ、店の広告や案内、飲食物のメニューなどの表示が印刷された紙製シート２と、さらにこの紙製シート２に覆い被さるようにしてトレー本体１に取り付けられた透明の合成樹脂製シート３とからなるものとしている。
【０００９】
また、この発明のトレーは、トレー本体１と、このトレー本体１の表面１ａに敷かれ、店の広告や案内、飲食物のメニューなどの表示が印刷された紙製シート２と、さらにこの紙製シート２に覆い被さるようにしてトレー本体１に着脱自在として取り付けられた透明の合成樹脂製シート３とからなるものとしている。
【００１０】
そして、この発明のトレーは、前記トレー本体１を、表面１ａの周囲に立上り縁１ｂを有した浅底の容器状に形成し、略長方形状としている。
【００１１】
さらに、この発明のトレーは、トレー本体１の周囲の立上り縁１ｂの一辺部の略全域に、合成樹脂製シート３の端縁部と共に挟み込めるようにした、縦断面形状が略Ｕ字形状の細長の弾性挟持体とした取付け具４を用いて、トレー本体１に合成樹脂製シート３を着脱自在として取り付けたものとしている。
【００１２】
また、この発明のトレーは、トレー本体１の周囲の立上り縁１ｂの一辺部に嵌合溝５を形成し、この嵌合溝５に嵌脱自在としたリブ６を合成樹脂製シート３の一端縁部に形成することにより、トレー本体１に合成樹脂製シート３を着脱自在として取り付けたものとしている。
【００１３】
さらに、この発明のトレーは、前記合成樹脂製シート３の少なくとも一端部に、この合成樹脂製シート３をトレー本体１から捲り上げるときに、指先などで摘めるようにした摘部３ａを突設したものとしている。
【発明の効果】
【００１４】
この発明のトレーは、以上に述べたように構成されているので、客の飲食後に合成樹脂製シートが汚れても紙製シートは汚れることがないので、この紙製シートを一回ごとに廃棄する必要がなくなり、ごみの量を増やさず、資源の無駄使いとならない。さらに、客の飲食後に汚れた合成樹脂製シートは、その汚れを布巾などで拭き取って使用することができ、また合成樹脂製シートをトレー本体に着脱自在として取り付けたものでは、汚れを布巾などで拭き取って使用したり、トレー本体から取り外して洗浄し、再びトレー本体に付けて使用することができる。
【００１５】
さらに、この発明のトレーは、店の広告や案内、飲食物のメニューなどを変更する場合にも、これらの表示が印刷された紙製シートのみを取り替えればよいので、経費が嵩まず、経済性に優れたものとなる。
【発明を実施するための最良の形態】
【００１６】
以下、この発明のトレーの実施の形態を、図面に基づいて詳細に説明する。
【００１７】
図１〜３は、この発明のトレーの一実施形態を示しており、図４〜６は、この発明のトレーの他の実施形態を示している。何れの実施形態においても、この発明のトレーは、トレー本体１と、このトレー本体１の表面１ａに敷く紙製シート２と、さらにこの紙製シート２に覆い被さるようにしてトレー本体１に取り付けられた透明の合成樹脂製シート３とからなる。なお、図示した実施の形態では、前記合成樹脂製シート３は、トレー本体１に着脱自在として取り付けたものとしているが、トレー本体１に着脱不能として取り付けたものとしてもよい。
【００１８】
トレー本体１は、硬質の合成樹脂板や軽量の金属板などにより、表面１ａの周囲に立上り縁１ｂを有した浅底の容器状に形成されており、略長方形状としているが、材質、形状、大きさ、色などは任意なものとすることができる。
【００１９】
紙製シート２は、表面に印刷できるものであればよく、上質紙、再生紙、ケント紙など各種のものが用いられ、その表面にファーストフード店などの広告や案内、飲食物のメニューなどの表示が印刷されている。そして、この紙製シート２は、前記トレー本体１の表面１ａの形状を少し小さくした略相似形とするのが、このトレー本体１の表面１ａに少し隙間を空けて敷くことができ、取り替えるときにその隙間に指先などを差し込むことにより、取り外し易いものとなる。
【００２０】
合成樹脂製シート３は、塩化ビニールやポリエチレンなどの軟質の合成樹脂からなるものとしており、前記トレー本体１の表面１ａの形状と略同形状とし、前記紙製シート２の表面積より広くしている。このようにすれば、トレー本体１の表面１ａに敷いた紙製シート２が合成樹脂製シート３から食み出ないものとなり、この合成樹脂製シート３が紙製シート２が覆い被さったものとなるので、客などが飲食物をこぼしても紙製シート２には付着しないものとなる。また、前記合成樹脂製シート３の食み出た周端部は、トレー本体１の表面１ａに密着させておくようにするのが好ましい。このようにすれば、トレー本体１の表面１ａと合成樹脂製シート３の間に隙間がなくなり、客などがこぼした飲食物が紙製シート２に滲み込んでいくようなことがない。なお、前記合成樹脂製シート３の少なくとも一端部には、この合成樹脂製シート３をトレー本体１から捲り上げるときに、指先などで摘めるようにした摘部３ａを突設したものとしている。
【００２１】
そして、前記トレー本体１に合成樹脂製シート３を着脱自在として取り付けるには、図１〜３に示したような、取付け具４を用いることができる。この取付け具４は、略長方形状としたトレー本体１の周囲の立上り縁１ｂの一辺部の略全域に、合成樹脂製シート３の端縁部と共に挟み込めるようにした、縦断面形状が略Ｕ字形状の細長の弾性挟持体としている。したがって、前記取付け具４により、トレー本体１の周囲の立上り縁１ｂと合成樹脂製シート３の端縁部を同時に挟み込むことにより、前記トレー本体１に合成樹脂製シート３を取り付けておくことができる。また、前記取付け具４をトレー本体１から外せば、この取付け具４から合成樹脂製シート３が解放され、前記トレー本体１から合成樹脂製シート３が外れる。なお、前記取付け具４は、前側挟持片４ａと後側挟持片４ｂを有し、前側挟持片４ａの下端部はトレー本体１の表面１ａに敷いた合成樹脂製シート３の端縁部に当接するようにしており、後側挟持片４ｂの下端部はトレー本体１の周囲の立上り縁１ｂの後面に当接するようにしている。
【００２２】
さらに、前記トレー本体１に合成樹脂製シート３を着脱自在として取り付けるには、図４〜６に示したように、トレー本体１の周囲の立上り縁１ｂの一辺部に嵌合溝５を形成し、この嵌合溝５に嵌脱自在としたリブ６を合成樹脂製シート３の一端縁部に形成したものとすればよい。トレー本体１に形成した嵌合溝５は、縦断面形状を略Ｕ字形状にしている。軟質合成樹脂からなる合成樹脂製シート３に形成したリブ６は、縦断面形状を前記嵌合溝５より少し大きい略Ｕ字形状にし、嵌合溝５に無理嵌めできるようにしている。したがって、トレー本体１に形成した嵌合溝５に合成樹脂製シート３に形成したリブ６を嵌め込むことにより、トレー本体１に合成樹脂製シート３が取り付けられ、またトレー本体１に形成した嵌合溝５から合成樹脂製シート３に形成したリブ６を引き抜くことにより、トレー本体１から合成樹脂製シート３が取り外される。さらに、前記嵌合溝５は、図示したものでは、トレー本体１の周囲の立上り縁１ｂの一辺部に一本のみ形成したものとしているが、二本以上形成したものとしてもよい。なお、前記嵌合溝５をトレー本体１の周囲の立上り縁１ｂの一辺部に二本以上形成した場合には、その本数に応じたリブ６を合成樹脂製シート３の一端縁部に形成したものとするのは言うまでもない。
【００２３】
なお、前記トレー本体１に合成樹脂製シート３を着脱不能として取り付けるには、図示していないが、トレー本体１の周囲の立上り縁１ｂの一辺部に合成樹脂製シート３の一端縁部を、熱溶着や高周波溶着したり、接着剤を使用して貼り付けておけばよい。
【００２４】
以上に述べたように構成されたこの発明のトレーは、トレー本体１の表面１ａに紙製シート２を敷き、この紙製シート２に透明の合成樹脂シート３を覆い被さるようにして、この合成樹脂シート３をトレー本体１に取り付けたものとしているので、ファーストフード店などにおいて客が飲食物をこぼした場合に、合成樹脂シート３は汚れても紙製シート２は汚れない。したがって、この紙製シート２は、一回ごとに廃棄しなくても再使用することができる。さらに、客の飲食後に汚れた合成樹脂製シートは、その汚れを布巾などで拭き取って使用することができ、また合成樹脂製シートをトレー本体に着脱自在として取り付けたものでは、汚れを布巾などで拭き取って使用したり、トレー本体から取り外して洗浄し、再びトレー本体に付けて使用することができる。
【００２５】
また、この発明のトレーは、店の広告や案内、飲食物のメニューなどを変更する場合にも、これらの表示が印刷された紙製シート１のみを取り替えればよい。
【図面の簡単な説明】
【００２６】
【図１】この発明のトレーの一実施形態を示す斜視図である。
【図２】図１中のＡ−Ａ線によるこの発明のトレーの断面図である。
【図３】図１に示すこの発明のトレーの分解斜視図である。
【図４】この発明のトレーの他の実施形態を示す斜視図である。
【図５】図４中のＢ−Ｂ線によるこの発明のトレーの断面図である。
【図６】図４に示すこの発明のトレーの分解斜視図である。
【図７】従来のトレーに使用するトレーマットの断面図である。
【図８】図７に示すトレーマットを使用したトレーの断面図である。
【符号の説明】
【００２７】
１  トレー本体
１ａ  表面
１ｂ  立上り縁
２  紙製シート
３  合成樹脂製シート
３ａ  摘部
４  取付け具
５  嵌合溝
６  リブ
【図１】
2005224485.tif 000003
【図２】
2005224485.tif 000004
【図３】
2005224485.tif 000005
【図４】
2005224485.tif 000006
【図５】
2005224485.tif 000007
【図６】
2005224485.tif 000008
【図７】
2005224485.tif 000009
【図８】
2005224485.tif 000010